(57)【特許請求の範囲】
【請求項１】
平面ディスプレイを壁面へ取付けるのに使用される壁掛け式平面ディスプレイ取付け装置であって、壁面に固定されるベースと、平面ディスプレイを支持するホルダーと、先端部が前記ホルダーの中央部に回動自在に連結され、基端部が前記ベースの一方の側部に回動自在に連結された主アームと、前記主アームより短く先端部が前記ホルダーの側部に回動自在に連結され、基端部が前記ベースの他の側部に回動自在に連結された副アームとを具備することを特徴とする壁掛け式平面ディスプレイ取付け装置。
【請求項２】
前記主アーム及び副アームは、長さ調節が可能である請求項１に記載の壁掛け式平面ディスプレイ取付け装置。
【請求項３】
前記主アーム及び副アームは、電動による強制回動機構を有しており、前記ホルダーの傾斜角度が遠隔から調整されるように前記強制回動機構がリモコンにより操作される構成である請求項１に記載の壁掛け式平面ディスプレイ取付け装置。
【請求項４】
前記ホルダーは本体と掛け止め部からなり、前記本体はスリット孔を有し、前記掛け止め部は鉤状突起と止め孔を有することを特徴とする請求項１に記載の壁掛け式平面ディスプレイ取付装置。
【発明の詳細な説明】
【技術分野】
【０００１】
本発明は、液晶パネルやプラズマディスプレイパネルを用いた薄型テレビなどの平面ディスプレイを壁面へ取付けるのに使用される壁掛け式平面ディスプレイ取付け装置に関し、特にコーナー部への取付けに用いられる壁掛け式平面ディスプレイ取付け装置に関する。
【背景技術】
【０００２】
近年、テレビ機器の分野では、画面の大型化と共に、液晶パネルやプラズマディスプレイパネルを用いた薄型テレビの需要が急速に進んでいる。薄型テレビの最大の利点は大画面の場合も奥行きが大きくならず小さく抑制されることであり、この点から大型テレビの薄型化は必然と言える。
【０００３】
このような薄型テレビは、その利点を生かして、壁掛けテレビとして使用される場合が少なくなく、既に、薄型テレビを壁面に取付けるための取付け装置も各種開発され、市販されている。
【０００４】
ところで、これまでのブラウン管型テレビは、後部が三角形状に突出しているために、コーナー部に設置されることが多い。平面ディスプレイの場合も従来のブラウン管型テレビの置き場をそのまま踏襲してコーナー部に設置されることが少なくない。このため、平面ディスプレイをコーナー部に壁掛け設置するための取付け装置も、例えば特許文献１により提示されている。
【０００５】
【特許文献１】特開平１１−０１８０２２号公報
【０００６】
特許文献１に記載された平面ディスプレイ取付け装置を用いると、その平面ディスプレイをコーナー部に設置できるが、壁面に沿った位置に格納することはできない。格納可能なコーナー取付け装置として、コーナー部の一方の壁面に平面ディスプレイを取付け、コーナーから離れた側の側端部を支点に平面ディスプレイを回動させる片ヒンジ機構が考えられる。この機構によると、不使用時に平面ディスプレイを壁面に沿って格納することができる。また、使用時に平面ディスプレイを取付け壁面に対して４５度程度傾斜させることもできる。
【０００７】
しかし、その平面ディスプレイは、傾斜するときにコーナーから離れた側を支点に旋回するため、傾斜角度が大きくなるにつれて反ヒンジ側がコーナー部の他方の壁面から離れる。その結果、通常の使用状態である４５度傾斜した状態では、平面ディスプレイのヒンジ側の側端部は取付け壁面に接近するが、反ヒンジ側の側端部は反取付け側の壁面から大きく離れ、非対称的な状態になる。これは見た目に不自然であるばかりでなく、コーナー部の空間利用効率を低下させることになる。
【０００８】
平面ディスプレイを室内のコーナー部に壁掛け設置するときの別の問題は、壁面に沿って格納可能とした取付け装置の場合、左側を支点として右側が開く右開き型と、右側を支点として左側が開く左開き型の２種類を用意する必要があり、機種数が増加することである。すなわち、平面ディスプレイを取付け装置に装着する場合、操作の点から掛け止めが便利である。掛け止めの場合、取付け装置に上下の方向性が生じる。その結果、掛け止め型の取付け装置をコーナー部の左側の壁面に取付ける場合は右開き型が必要になり、右側の壁面に取付ける場合は左開き型が必要になるのである。
【発明の開示】
【発明が解決しようとする課題】
【０００９】
本発明はかかる事情に鑑みて創案されたものであり、その第１の目的は、平面ディスプレイをコーナー部に略４５度傾けて設置できると共に、不使用時にその平面ディスプレイを壁面に沿って格納でき、しかも、使用時に平面ディスプレイを左右均等な対称状態に設置でき、更には平面ディスプレイの両側から隙間を可及的に排除できるコーナー用の壁掛け式平面ディスプレイ取付け装置を提供することにある。
【００１０】
本発明の第２の目的は、平面ディスプレイをコーナー部に略４５度傾けて設置できると共に、不使用時にその平面ディスプレイを壁面に沿って格納でき、しかも、平面ディスプレイを掛け止めする構造でありながら、コーナー部のいずれの側の壁面にも取付けることができる方向性のないコーナー用の壁掛け式平面ディスプレイ取付け装置を提供することにある。
【課題を解決するための手段】
【００１１】
上記目的を達成するために、本発明にかかる壁掛け式平面ディスプレイ取付け装置は、平面ディスプレイを壁面へ取付けるのに使用される壁掛け式平面ディスプレイ取付け装置であって、壁面に固定されるベースと、平面ディスプレイを支持するホルダーと、先端部が前記ホルダーの中央部に回動自在に連結され、基端部が前記ベースの一方の側部に回動自在に連結された主アームと、前記主アームより短く先端部が前記ホルダーの側部に回動自在に連結され、基端部が前記ベースの他の側部に回動自在に連結された副アームとを具備している。
【００１２】
本発明にかかる壁掛け式平面ディスプレイ取付け装置においては、コーナー部の一方に壁面にベースがコーナーに接近して取付けられる。ホルダーの中央部とベースの一方の側部とを連結する長い主アームが、このベースに対して略４５度傾斜することにより、平面ディスプレイはコーナー部に左右均等に、しかも両側から隙間を可及的に排除した状態で設置することが可能となる。主アームが取付け壁面側へ傾斜すると、その傾斜側においてホルダーの側部とベースの側部とを連結する短い副アームの作用により、平面ディスプレイは反傾斜側へ回動し、最終的には副アームも主アームと同じ方向へ傾斜する。そして、主アームがベースに沿ったときにその側方で副アームがベースに沿うことにより、ホルダーがベースに近接並行し、平面ディスプレイが取付け壁面に沿って格納される。
【００１３】
主アーム及び副アームは、取付けるべき平面ディスプレイのサイズに応じて長さ調節が可能な構成するのが好ましい。この構成により、取付けるべき平面ディスプレイのサイズが変わっても、両側の隙間を可及的に小さく抑制することができる。
【００１４】
主アーム及び副アームは又、電動による強制回動機構を有しており、ホルダーの傾斜角度が遠隔から調整されるように前記強制回動機構がリモコンにより操作される構成が好ましい。この構成によると、平面ディスプレイのコーナー部における使用位置と壁面に沿った格納位置との間の移動操作をリモコンにより遠隔から行うことが可能になる。
【００１５】
ホルダーは、本体と掛け止め部からなり、前記本体はスリット孔を有し、前記掛け止め部は鉤状突起と止め孔を有する構成が好ましい。この構成によると、本体のスリット孔に掛け止め部の鉤状突起が係合するため、本体に対して掛け止め部が着脱可能であり且つ上下反転させて取付け可能である。この掛け止め部の脱着・反転構造により、掛け止め部の上下を変えずに取付け装置の上下を反転させることが可能となる。この装置の反転により、左開きも右開きも可能になり，コーナー部のいずれの壁面にも取付けが可能となる。
【００１６】
すなわち、初期状態で右開きの場合、そのままコーナーを挟む左側の壁面に取付けることができ、平面ディスプレイを掛け止めできる。取付け装置の上下を反転させれば左開きとなって、コーナーを挟む右側の壁面に取付けることができる。そして、上下反転させた左開きの場合も、掛け止め部を上下反転させて付け替えることにより、平面ディスプレイの掛け止めが可能になる。こうして、掛け止め構造を採用するにもかかわらず、上下反転使用が可能になり、コーナー部のいずれの壁面への取付けも可能となる。
【発明の効果】
【００１７】
本発明にかかる壁掛け式平面ディスプレイ取付け装置は、ホルダーの中央部とベースの一方の側部とを連結する傾斜した長い主アームと、主アームの傾斜側においてホルダーの側部とベースの側部とを連結する短い副アームとの組み合わせにより、平面ディスプレイをコーナー部に略４５度傾けて壁掛け設置でき、不使用時にはその平面ディスプレイを壁面に沿って格納できる。しかも、その使用時に平面ディスプレイを左右均等に見栄えよく設置でき、しかも両側から隙間を可及的に排除することにより、コーナー部の空間を有効利用できる。
【００１８】
ディスプレイを掛け止めするためにホルダーに装備される掛け止め部をホルダー本体に対して着脱可能とし、且つ上下反転させて取付け可能とすることにより、掛け止め方式でありながら上下反転使用が可能になり、これによりコーナーを挟むいずれの壁面にも取付が可能となり、機種減少によるコスト低下を図ることができる。
【発明を実施するための最良の形態】
【００１９】
以下に本発明の実施形態を図面に基づいて説明する。図１は本発明の一実施形態を示す壁掛け式平面ディスプレイ取付け装置の斜視図、図２（ａ）及び（ｂ）は同壁掛け式平面ディスプレイ取付け装置の使用状態を示す平面図及び正面図、図３は同壁掛け式平面ディスプレイ取付け装置の格納状態を示す平面図、図４は同壁掛け式平面ディスプレイ取付け装置の動作を段階的に示す平面図、図５（ａ）及び（ｂ）は同壁掛け式平面ディスプレイ取付け装置の別の使用形態を示す正面図及び平面図である。
【００２０】
本実施形態にかかる壁掛け式平面ディスプレイ取付け装置は、本発明にかかる第１の壁掛け式平面ディスプレイ取付け装置と第２の壁掛け式平面ディスプレイ取付け装置とを合体させたものであり、平面ディスプレイとしての液晶パネルやプラズマディスプレイパネルなどを用いた薄型テレビをコーナー部に壁掛け設置するのに使用される。
【００２１】
この平面ディスプレイ取付け装置は、図１〜図４に示すように、コーナー部の一方の壁面９０Ａに固定される垂直な板状のベース４０と、ベース４０の正面側に側方へ傾斜して支持される垂直な板状のホルダー５０と、ホルダー５０を支持するために、ベース４０の両側部から正面側へ水平に突出した主アーム６０及び副アーム７０とを備えている。
【００２２】
ベース４０は、横に長い長方形の金属板からなり、平面ディスプレイの取付け壁面９０Ａに固定するための複数のねじ孔４１を有している。ベース４０の一方の側部の表面には、第１支持部４２，４２が上下２段に設けられている。他方の側部の表面には、第２支持部４３，４３が上下２段に設けられている。両側の支持部４２，４３は、上下一組の水平な舌状の切り出し片からなり、主アーム６０及び副アーム７０を支持する垂直な支持軸４４，４５の支持ブラケットを構成している。
【００２３】
ホルダー５０は、ベース４０とほぼ同じ大きさ・形状の金属板からなる本体５１と、本体５１の正面側に平面ディスプレイを支持するために、その両側部に脱着可能に取付けられた掛け止め部５２，５２とを有している。各掛け止め部５２は、両側部から背面側へ突出する複数の鉤状突起５３・・を有しており、本体５１に設けられたスリット孔５４・・に鉤状突起５３・・を引っ掛けることにより、本体５１の側端部の正面側に保持される。また図示されない別のスリット孔に鉤状突起５３・・を引っ掛けることにより、各掛け止め部５２は、本体５１を上下反転させた状態でその側端部の正面側に取付けることができる。なお、ここでは、掛け止め部５２を本体５１へ脱着可能に取り付けるため、本体にスリット孔５４と掛け止め部５２に鉤状突起５３を設けた。しかし、上下逆にして脱着可能に取り付けるという目的を達成できるのであれば、特に本実施例に限定されるものではない。
【００２４】
各掛け止め部５２の正面には、平面ディスプレイを掛け止めするための止め孔５５，５５が上下２段に設けられている。各止め孔５５は、平面ディスプレイを掛け止めするために大径の挿入部と、その挿入部の下部を下方へ直線状に延長した嵌合固定部とを組み合わせた複合形状になっている。
【００２５】
ホルダー５０の裏面には、一方の側の第１支持部４２，４２に対応する上下２段のブラケット状の第１支持部５６，５６が、幅方向中央部に位置して設けられている。また、他方の側の第２支持部４３，４３に対応する上下２段のブラケット状の第２支持部５７，５７が、第２支持部４３，４３と同じ側の側端部に位置して設けられている。
【００２６】
主アーム６０は上下２段に設けられており、両基端部はベース４０の第１支持部４２，４２に垂直な支持軸４４により回動自在に連結されている。また両先端部はホルダー５０の第１支持部５６，５６に垂直な支持軸５８により回動自在に連結されている。主アーム６０の長さは次のように設定されている。
【００２７】
コーナー部の一方の壁面９０Ａにベース４０をコーナーに近づけて固定する。この状態で主アーム６０がベース４０に対して略４５度側方へ傾斜し、その主アーム６０に対してホルダー５０がほぼ直角になったとき、そのホルダー５０に支持された平面ディスプレイ８０がコーナー部に両側の壁面９０Ａ，９０Ｂに対して僅かの均等な隙間をあけて略対称配置される（使用状態）。一方、主アーム６０が傾斜側へ倒れ、ベース４０とホルダー５０の間で平行になったとき、そのホルダー５０に支持された平面ディスプレイが取付け壁面９０Ａに平行となり、且つ他方の壁面に接近する（格納状態）。これらが実現されるように、取付けるべき平面ディスプレイのサイズに応じて主アーム６０の長さは設定されている。また、取付けるべき平面ディスプレイのサイズの変更に対応できるように、主アーム６０の長さは複数段階に変更可能である。
【００２８】
副アーム７０も主アーム６０と同様に上下２段に設けられており、両基端部はベース４０の第２支持部４３，４３に垂直な支持軸４５により回動自在に連結されている。また両先端部はホルダー５０の第２支持部５７，５７に垂直な支持軸５９により回動自在に連結されている。そして副アーム７０の長さは主アーム６０より短く設計されており、具体的には次のように定められている。
【００２９】
ホルダー５０及びこれに支持された平面ディスプレイが上述の使用状態に設置されたとき、副アーム７０はコーナーから離れた側でこの使用状態を保持する。また、ホルダー５０及びこれに支持された平面ディスプレイが上述の格納状態に移動したとき、副アーム７０は主アーム６０の延長線上でベース４０及びホルダー５０に平行となる。これらが実現されるように、副アーム７０の長さはアーム取付け位置や主アーム６０の長さなどに応じて設定されている。また、主アーム６０と同様、取付けるべき平面ディスプレイのサイズの変更に対応できるように、副アーム７０の長さも複数段階に変更可能である。
【００３０】
次に、本実施形態にかかる壁掛け式平面ディスプレイ取付け装置の機能について説明する。
【００３１】
平面ディスプレイを設置すべきコーナー部の一方の壁面９０Ａにベース４０を固定する。具体的には、主アーム６０がコーナーに近い側に位置し、副アーム７０がコーナーから離れた側に位置するように、コーナーの近くで壁面９０Ａにベース４０を固定する。ベース４０に支持されたホルダー５０に平面ディスプレイ８０を取付ける。
【００３２】
主アーム６０及び副アーム７０をコーナーから離れる方向へ倒し、取付け壁面９０Ａに沿わせる。ベース４０にホルダー５０が平行となり、ホルダー５０に支持された平面ディスプレイ８０は、取付け壁面９０Ａに近接並行する格納位置に保持される（図３及び図４）。
【００３３】
この格納位置から、平面ディスプレイをコーナー部へ引き出す。このとき主アーム６０は略０度から略４５度へ傾斜角度を増し、平面ディスプレイは、０度から傾斜角度を増す副アーム７０に引かれて動作を規制されることにより、主アーム６０の先端部で副アーム側へ回動し、主アーム６０に対して略直角になる（図２及び図４）。
【００３４】
こうして、平面ディスプレイ８０は取付け壁面９０Ａに平行な格納位置から両方の壁面９０Ａ，９０Ｂに対して略４５度傾斜した使用位置へ引き出される。使用位置では、前述したとおり、平面ディスプレイ８０はコーナー部に両側の壁面９０Ａ，９０Ｂに対して均等な距離となり、しかも両壁面９０Ａ，９０Ｂとの隙間が小さい対称状態になる。
【００３５】
コーナー部の他方の壁面９０Ｂに平面ディスプレイ８０を取付ける場合は、図５（ａ）（ｂ）よう示すように、当該取付け装置を上下反転させて、ベース４０をその壁面９０Ｂに固定する。これと共に、ホルダー５０の本体５１から両側の掛け止め部５２，５２を外し、ホルダー５０の本体５１が反転した後、その本体５１に両側の掛け止め部５２，５２を上下反転させずに再度装着する。これにより、両側の掛け止め部５２，５２以外が上下反転し、両側の掛け止め部５２，５２は使用状態を維持する。
【００３６】
ベース４０、ホルダー５０の本体５１及びアーム６０，７０は上下反転により、コーナー部の他方の壁面９０Ｂにベース４０を取付けるにもかかわらず、主アーム６０がコーナー側に位置し、副アーム７０がコーナーから離れた側に位置する。これにより、一方の壁面９０Ａへ取付けを行った場合と同様に、取付け壁面９０Ｂに沿った状態に平面ディスプレイを収納でき、また、コーナー部での左右対称な使用状態に引き出すことができる。つまり、両側の掛け止め部５２，５２を上下反転して取付け可能としたことにより、左開き型と右開き型を作り分ける必要がなくなるのである。
【００３７】
なお、上記実施形態では、主アーム６０及び副アーム７０は手動により回動操作されるが、これを電動で行うこともできる。そうすることにより、平面ディスプレイの使用位置と格納位置との間の往復移動操作をリモコンにより遠隔から簡単に行うことができる。この場合、少なくとも主アーム６０及び副アーム７０のいずれか一方を電動で回動操作すればよく、必ずしも両方を電動操作する必要はない。
【図面の簡単な説明】
【００３８】
【図１】本発明の一実施形態を示す壁掛け式平面ディスプレイ取付け装置の斜視図である。
【図２】（ａ）及び（ｂ）は同壁掛け式平面ディスプレイ取付け装置の使用状態を示す平面図及び正面図である。
【図３】同壁掛け式平面ディスプレイ取付け装置の格納状態を示す平面図である。
【図４】同壁掛け式平面ディスプレイ取付け装置の動作を段階的に示す平面図である。
【図５】（ａ）及び（ｂ）は同壁掛け式平面ディスプレイ取付け装置の別の使用形態を示す正面図及び平面図である。
【符号の説明】
【００３９】
４０  ベース
５０  ホルダー
５１  ホルダー本体
５２  掛け止め部
５３  鉤状突起
５４  スリット孔
５５  止め孔
６０  主アーム
７０  副アーム
８０  平面ディスプレイ
９０Ａ，９０Ｂ  壁面
【図１】
0004733474.tif 000002
【図２】
0004733474.tif 000003
【図３】
0004733474.tif 000004
【図４】
0004733474.tif 000005
【図５】
0004733474.tif 000006